(57)【要約】【課題】エレベータのかご内の安全性とセキュリティ性を一層向上させることができるエレベータの監視システムを得る。【解決手段】エレベータのかご１内を撮像するカメラ３と、かご１内の重量を検出するかご重量検出手段（４）と、所定時間の間呼びの発生がなく、かご重量検出手段がかご内重量を検出している場合に、カメラ３による監視画像を保守会社２０に伝送する制御手段とを備えた。【選択図】　　　　図６
2004059260.tif 000002
【特許請求の範囲】
【請求項１】
エレベータのかご内を撮像するカメラと、
かご内の重量を検出するかご重量検出手段と、
所定時間の間呼びの発生がなく、前記かご重量検出手段がかご内重量を検出している場合に、前記カメラによる監視画像を保守センターに伝送する制御手段とを備えたエレベータの監視システム。
【請求項２】
請求項１に記載のエレベータの監視システムにおいて、
前記制御手段は、予め設定されたスケジュールに従って前記カメラによる撮像を制御することを特徴とするエレベータの監視システム。
【請求項３】
請求項１または２に記載のエレベータの監視システムにおいて、
エレベータのかご内にアナウンスするアナウンス装置を備え、
前記制御手段は、所定時間の間呼びの発生がなく、前記かご重量検出手段がかご内重量を検出している場合に、前記アナウンス装置により乗客へ所定のメッセージをアナウンスし、アナウンス終了後所定時間経過してもかご内重量に変化がない場合に監視画像の伝送処理を行うことを特徴とするエレベータの監視システム。
【請求項４】
請求項１ないし３のいずれか１項に記載のエレベータの監視システムにおいて、
前記保守センターは、伝送された監視画像を蓄積し予め設定された送信先に送信する通信装置を備えたことを特徴とするエレベータの監視システム。
【請求項５】
請求項１ないし４のいずれか１項に記載のエレベータの監視システムにおいて、
前記保守センターは、インターネットを介して所定のユーザに画像を伝送するとともにユーザ側からアクセス可能なサーバ装置として機能し、ユーザ側から監視画像に係る設定変更と画像確認を設定するための設定画面を有することを特徴とするエレベータの監視システム。
【発明の詳細な説明】
【０００１】
【発明の属する技術分野】
この発明は、エレベータの監視システムに関するものである。
【０００２】
【従来の技術】
図９は、従来のエレベータの監視システムを示す構成図である。図９に示すように、エレベータのかご１内にはカメラ３が設置されており、かご１上にはカメラ３に接続されて長時間録画が可能なタイムラプスビデオデッキ２が設置されている。これらの構成により、かご１に乗客が乗れば録画されることになり、防犯対策となる。
【０００３】
【発明が解決しようとする課題】
しかしながら、上述した従来のエレベータの監視システムにおいては、録画された映像を確認しようとする場合は、タイムラプスビデオデッキ２用のリモコンを用いて、持参したテレビモニタに映像を写して確認する必要があった。このため、画像の確認をするのは、事件が起こった場合等に限定されてしまい、定期的な状況確認は困難となる問題点がある。このような状況の中で、エレベータのかご１の中で病人が到れたり、ストーカーが待ち伏せしたりしても通りがかった人により通報されるまでは安全を確保することはできない。
【０００４】
この発明は上述した点に鑑みてなされたもので、エレベータのかご内の安全性とセキュリティ性を一層向上させることができるエレベータの監視システムを得ることを目的とする。
【０００５】
【課題を解決するための手段】
この発明に係るエレベータの監視システムは、エレベータのかご内を撮像するカメラと、かご内の重量を検出するかご重量検出手段と、所定時間の間呼びの発生がなく、前記かご重量検出手段がかご内重量を検出している場合に、前記カメラによる監視画像を保守センターに伝送する制御手段とを備えたものである。
【０００６】
また、前記制御手段は、予め設定されたスケジュールに従って前記カメラによる撮像を制御することを特徴とするものである。
【０００７】
また、エレベータのかご内にアナウンスするアナウンス装置を備え、前記制御手段は、所定時間の間呼びの発生がなく、前記かご重量検出手段がかご内重量を検出している場合に、前記アナウンス装置により乗客へ所定のメッセージをアナウンスし、アナウンス終了後所定時間経過してもかご内重量に変化がない場合に監視画像の伝送処理を行うことを特徴とするものである。
【０００８】
また、前記保守センターは、伝送された監視画像を蓄積し予め設定された送信先に送信する通信装置を備えたことを特徴とするものである。
【０００９】
さらに、前記保守センターは、インターネットを介して所定のユーザに画像を伝送するとともにユーザ側からアクセス可能なサーバ装置として機能し、ユーザ側から監視画像に係る設定変更と画像確認を設定するための設定画面を有することを特徴とするものである。
【００１０】
【発明の実施の形態】
この発明では、従来、エレベータの中の安全は、かごの中を常時録画して犯罪が起こった場合に画像を確認できる「エレベータ防犯カメラ」が設置されていたが、これらの画像に関して個人が簡単に確認して家族の老人や子供の画像を確認することはできなかった点に鑑み、カメラの画像を活用して、かごの中の病人やストーカーを検出して、注意のメッセージを流し、その後、エレベータかご内のカメラ画像を録画してエレベータの保守会社に送信し、インターネットやメール、ＦＡＸで確認できる仕組みとしたものである。以下、具体的な実施の形態について説明する。
【００１１】
実施の形態１．
図１は、この発明の実施の形態１に係るエレベータの監視システムの構成を示すブロック図である。図１に示すように、エレベータのかご１の中に、カメラ３とオートアナウンス用のスピーカ６が設けられ、かご１下には、積載された重量を測定するかご重量測定手段としてのかご秤４が設置されている。カメラ３による画像は、画像処理装置５により画像処理された後、通信装置８を通してエレベータ保守会社（保守センタ）２０側に伝送される。
【００１２】
通信装置８は、エレベータ制御盤９と接続され、通常は、エレベータの信号をエレベータ保守会社２０に通報しているが、本実施の形態では、所定時間の間呼びの発生がなく、かつかご秤４がかご内重量、つまり乗客を検出した場合に、エレベータ制御盤９の制御に基づいて画像処理装置５からの画像をエレベータ保守会社２０に送信する。
【００１３】
エレベータ保守会社２０と警備会社２３は、通信装置２１により接続されており、場合によっては警備員を現地に派遣する。エレベータ保守会社２０では、ビルからのデータを通信装置２１で受信し、送信されてきたビル毎の画像をデータ管理装置２２に蓄積管理する。蓄積された画像データは、インターネット３０を経由してメール配信またはホームページを確認する方法によりユーザ端末３１側で画面確認することができる（図７参照）、また、設定によりＦＡＸ３２でデータを受信することができる（図８参照）。
【００１４】
ここで、通信装置８は、図２に示すように、ＣＰＵ４１、処理プログラム４２、画像データを一時蓄積する画像蓄積部４３、蓄積した画像を電話回線を通して外部に伝送するためのＭＯＤＥＭ４４、エレベータ制御盤９と接続され、エレベータの呼び、戸開閉状況、エレベータかごの積載量を測るかご秤４の情報を受信する第１のデータ通信部４５、画像処理装置５と接続され、画像データを画像データ蓄積部４３に蓄積するための第２のデータ通信部４６を備えている。
【００１５】
また、画像処理装置５は、図３に示すように、ＣＰＵ６１、処理プログラム６２、映像ＣＯＤＥＣ６４による画像データを通信装置８に出力するデータ通信部６３、カメラ３の映像信号をコード化してデジタルデータに変換する映像ＣＯＤＥＣ６４を備えている。
【００１６】
次に、図４は、ユーザ端末３１がインターネット３０によりエレベータ保守会社２０のホームページ（監視システム画面７０）にアクセスする場合を説明する図である。まず、ログインするためには、図４のメインの画面７０で、エレベータ保守会社２０が個別に設けたビルＮｏ７１を入力し、予め決められている個人ＩＤ７２、パスワード７３を入力する必要がある。なお、図４において、７４は設定変更を行う場合の変更日、７５は設定変更、７６は画面確認を行う場合の欄である。
【００１７】
また、図５は、図４に示す画面において、設定変更７５を選択した場合の設定変更の画面８０を説明する図である。これは、監視システムの設定条件の変更をインターネットの画面を通じて行うことができるようにしたものである。まず、パスワードの変更である。これは、インターネット３０を介して監視システムの内容を変更する場合、画像を確認する場合のセキュリティの為に使用する。旧パスワード８１と変更すべき新規パスワード８２の欄にそれぞれパスワードを入力して変更する。メールアドレス設定８３の欄には、取得画像のメール、ＦＡＸの送信先を入力する。監視スケジュールの変更は、サービス利用の時間帯の設定を行うもので、本システムを活用する場合、開始時間８４、終了時間８５の欄に入力する。
【００１８】
また、自動データ送信機能、保守会社確認要請の変更に関しては、ＦＡＸまたはメールで、画像データの自動送信を要求する場合、チェックボックス８６をチェックする。保守会社２０へ画像確認させ、また場合によっては、警備会社２３の警備員を出動させる場合は、チェックボックス８７をチェックする。過去のデータを参照するための、画像蓄積日数の設定では、その設定欄９０に希望の日数を入力できる。さらに、９１は変更ＯＫ、９２はやり直し、９３はキャンセル、９４は図４に示すＴＯＰ画面に戻るためのボタンをそれぞれ示している。
【００１９】
すなわち、保守会社（保守センタ）２０は、インターネット３０を介して所定のユーザ端末３１に画像を伝送するとともに、ユーザ端末３１側からアクセス可能なサーバ装置として機能し、ユーザ端末３１側から監視画像に係る設定変更と画像確認を設定するための設定画面を有している。
【００２０】
次に、上記構成に係るエレベータの監視システムの画像登録処理を、図６に示すフローチャートを参照して説明する。エレベータの画像監視のスケジュール時間が、開始時刻と終了時刻の中である場合に（ステップ１０１）、エレベータの呼びが無くなり例えば５分以上経過した場合に（ステップ１０２）、エレベータのかご床下にある秤装置４の信号をチェックし、例えば２０Ｋｇ以上の重さを検知した場合に（ステップ１０３）、エレベータのオートアナウンス用のスピーカ６より、「エレベータ内に誰か居られましたら、行き先ボタンか戸開きボタンを押して下さい」とのアナウンスで注意を促す（ステップ１０４）。
【００２１】
アナウンスから更に３分経過した場合にかごの秤が動作しているかどうかを判断し（ステップ１０５）、まだ、かごの秤４が動作している場合は（ステップ１０６）、その時のかご内画像を、画像処理装置７の映像ＣＯＤＥＣ６４で処理して、データ通信部６３を通して、通信装置８の画像蓄積部４３に蓄積させ、保守会社２０のデータ管理装置２２へ伝送される（ステップ１０７，１０８）。ここで、自動データ送信機能、保守会社確認要請の変更（図５の欄８６）で、ＦＡＸ、メールによる自動送信機能の欄８６がチェックされている場合には、自動的に、図５の欄８３に登録されているＦＡＸまたはメール先に画像データ、つまり図８に示す画像１３０が送付される。
【００２２】
次に、保守会社２０での画像確認要請、警備員派遣要請について説明する。ここで、自動データ送信機能、保守会社確認要請の変更（図５の欄８６）で、保守会社２０への画像送信と出動要請の欄８７がチェックされている場合には（ステップ１０９）、保守会社２０に画像が送付されると同時に、異常信号として処理され、保守会社２０から通信装置２１を通してかご内の画像確認を行う（ステップ１１１）。その時の画像により、病人等が確認され、現地確認が必要と判断された場合には（ステップ１１２）、警備員派遣の手続きをして警備員の派遣を行う（ステップ１１３）。
【００２３】
さらに、エレベータ画像のインターネットからの確認に説明すると、図４に示す監視システムの画面７０から、画像確認ボタン７６をクリックすると、図７に示す画像確認の画面１２０が表示される。画像蓄積できる日数は、図５に示す画像蓄積日数の設定欄９０にて設定できる。
【００２４】
以上のように、実施の形態１によれば、エレベータのかご内の安全性とセキュリティ性を一層向上させることができる。特に、エレベータかご内で倒れてしまった場合のＦＡＸ送信、メール送信及び保守会社からの確認、警備会社からの出動は、マンション等での死活の中での安全の確保が可能となる。高齢者社会を迎えての老人、病人のエレベータ活用に際し安全上の向上となる。また、かごの中で静かに隠れている、ストーカーの発見、防止にもなり、警察のＦＡＸに画像を送信することも可能になる。
【００２５】
実施の形態２．
上述した実施の形態１は、カメラの映像を画像処理装置５で実現したが、本機能をエレベータ防犯カメラシステムのタイムラプスビデオ２の中に組み込むこともできる。また、通常のタイムラプスビデオ２で運用されているエレベータ防犯カメラシステムに併設して、カメラ信号を共通で接続して本発明の機能を実現することも容易に可能である。
【００２６】
【発明の効果】
以上のように、この発明によれば、エレベータのかご内の安全性とセキュリティ性を一層向上させることができる。
【図面の簡単な説明】
【図１】この発明の実施の形態１に係るエレベータの監視システムの構成を示すブロック図である。
【図２】図１の通信装置８の内部構成図である。
【図３】図１の画像処理装置５の内部構成図である。
【図４】この発明の実施の形態１に係るもので、インターネットでのサービス提供画面の説明図である。
【図５】この発明の実施の形態１に係るもので、設定変更画面の説明図である。
【図６】この発明の実施の形態１に係るエレベータの監視システムにおける画像処理フローチャートである。
【図７】この発明の実施の形態１に係るもので、画像確認画面の説明図である。
【図８】この発明の実施の形態１に係るもので、画像のメール、ＦＡＸ画面の説明図である。
【図９】従来例に係るエレベータの監視システムを示す構成図である。
【符号の説明】
１　エレベータかご、３　カメラ、４　かご秤、５　画像処理装置、８　通信装置、９　エレベータ制御盤、２０　エレベータ保守会社、２１　通信装置、２２　データ管理装置、２３　警備会社、３０　インターネット、３１　ユーザ端末、３２　ＦＡＸ。
【図１】
2004059260.tif 000003
【図２】
2004059260.tif 000004
【図３】
2004059260.tif 000005
【図４】
2004059260.tif 000006
【図５】
2004059260.tif 000007
【図６】
2004059260.tif 000008
【図７】
2004059260.tif 000009
【図８】
2004059260.tif 000010
【図９】
2004059260.tif 000011